【手続補正書】
【提出日】平成18年10月31日(2006.10.31)
【手続補正１】
【補正対象書類名】明細書
【補正対象項目名】特許請求の範囲
【補正方法】変更
【補正の内容】
【特許請求の範囲】
【請求項１】  下記物質：
Ａ．下記式（Ｉ）
【化１】
2002530301.tif 000001
［式中、
Ｖは下記（Ｖ１）〜（Ｖ４）：
【化２】
2002530301.tif 000002
よりなる群から選択される基であり、
ここで符号および指標の意味は、
Ｒは水素、（Ｃ1−Ｃ4）−アルコキシカルボニル、（Ｃ1−Ｃ4）−ハロアルコキシカルボニル、（Ｃ1−Ｃ4）−アルキルスルホニル、（Ｃ1−Ｃ4）−アルキルスルフィニル、（Ｃ1−Ｃ4）−アルキルチオ、ＣＯＯＨ、シアノであり；
Ｒ1は水素、（Ｃ1−Ｃ4）−アルキル、(Ｃ2−Ｃ4）−アルケニル、(Ｃ1−Ｃ4)−アルキニル、（Ｃ3−Ｃ8）−シクロアルキル、（Ｃ3−Ｃ8）−シクロアルケニル、（Ｃ1−Ｃ4）−アルキル−（Ｃ3−Ｃ8）−シクロアルキル、（Ｃ3−Ｃ7）−ハロシクロアルキル、（Ｃ1−Ｃ4）−アルキルチオ（Ｃ3−Ｃ8）−シクロアルキル、（Ｃ1−Ｃ8）−ハロアルキルまたは（Ｃ2−Ｃ8）−ハロアルケニルであり;
Ｒ2は水素、（Ｃ1−Ｃ4）−アルキル、(Ｃ1−Ｃ4）−アルコキシ、(Ｃ1−Ｃ4)−ハロア
ルキル、ハロゲン、（Ｃ1−Ｃ4）−ハロアルコキシ、シアノ、ニトロであり；
Ｒ3は水素、（Ｃ1−Ｃ4）−アルキル、(Ｃ2−Ｃ4）−アルケニル、(Ｃ2−Ｃ4)−アルキニル、（Ｃ1−Ｃ4）−ハロアルキル、（Ｃ1−Ｃ4）−アルコキシ−(Ｃ1−Ｃ4）−アルキル、（Ｃ1−Ｃ4）−アルキルカルボニル、（Ｃ1−Ｃ4）−アルキルスルホニル、（Ｃ1−Ｃ4）−ハロアルキルスルホニル、（Ｃ1−Ｃ4）−アルキル−置換または未置換のアリールスルホニル、（Ｃ1−Ｃ4）−アルキル−置換または未置換のアリールカルボニル−（Ｃ1−Ｃ4）−アルキル、または、（Ｃ1−Ｃ4）−アルキル−置換または未置換のアリール−（Ｃ1−Ｃ4）−アルキルであり；
Ｒ4は水素、（Ｃ1−Ｃ4）−アルキル、(Ｃ2−Ｃ4）−アルケニル、(Ｃ2−Ｃ4)−アルキニル、（Ｃ1−Ｃ4）−ハロアルキル、フェニルまたはベンジルであり;
Ｒ5は（Ｃ1−Ｃ4）−アルキル、（Ｃ1−Ｃ4）−アルコキシ、（Ｃ1−Ｃ4）−アルコキシ−（Ｃ1−Ｃ4）−アルキル、（Ｃ1−Ｃ4）−ジアルコキシ−（Ｃ1−Ｃ4）−アルキル、（Ｃ1−Ｃ4）−アルキルチオ、ハロゲン、置換または未置換のアリール、テトラヒドロピラン−４−イル、テトラヒドロピラン−３−イル、テトラヒドロチオピラン−３−イル、１−メチルチオシクロプロピル、２−エチルチオプロピルまたは２つの基Ｒ5が一緒になって（Ｃ2−Ｃ4）−アルキレンであり；
Ｒ6はヒドロキシル、（Ｃ1−Ｃ4）−アルコキシ、（Ｃ1−Ｃ8）−ハロアルコキシ、ホルミルオキシ、（Ｃ1−Ｃ4）−アルキルカルボニルオキシ、(Ｃ1−Ｃ4)−アルキルスルホニルオキシ、（Ｃ1−Ｃ4）−アルキルチオ、（Ｃ1−Ｃ4）−ハロアルキルチオ、アリールチオ、アリールオキシ、（Ｃ1−Ｃ4）−アルキルスルフィニルまたは（Ｃ1−Ｃ4）−アルキルスルホニルであり；
Ｒ7は（Ｃ1−Ｃ4）−アルキル、（Ｃ1−Ｃ4）−ハロアルキル、（Ｃ3−Ｃ8）−シクロアルキル、（Ｃ1−Ｃ4）−アルキル−（Ｃ3−Ｃ8）−シクロアルキルまたは（Ｃ3−Ｃ8）−ハロシクロアルキルであり；
Ｒ8はシアノ、（Ｃ1−Ｃ4）−アルコキシカルボニル、（Ｃ1−Ｃ4）−アルキルカルボニル、（Ｃ1−Ｃ4）−アルキルスルホニル、（Ｃ1−Ｃ4）−アルキルスルフィニル、（Ｃ1−Ｃ4）−アルキルチオ、（Ｃ1−Ｃ4）−アルキルアミノカルボニルまたは（Ｃ1−Ｃ4）−ジアルキルアミノカルボニルであり；
Ｉは０〜６の整数であり、ここでＩ≧２である場合は、基Ｒ5は同じかまたは異なっていてもよく、そして、
Ｒ9は同じかまたは異なっていて、ニトロ、アミノ、（Ｃ1−Ｃ4）−アルキル、（Ｃ2−Ｃ4）−アルケニル、（Ｃ2−Ｃ4）−アルキニル、ハロゲン、（Ｃ1−Ｃ4）−ハロアルキル、（Ｃ2−Ｃ4）−ハロアルケニル、（Ｃ2−Ｃ4）−ハロアルキニル、（Ｃ1−Ｃ4）−ハロアルコキシ、（Ｃ1−Ｃ4）−ハロアルキルチオ、（Ｃ1−Ｃ4）−アルコキシカルボニル、（Ｃ1−Ｃ4）−アルキルスルホニル、（Ｃ1−Ｃ4）−アルキルスルフィニル、（Ｃ1−Ｃ4）−アルキルチオ、アリールスルホニル、アリールスルフィニル、アリールチオ、（Ｃ1−Ｃ4）−アルコキシ、（Ｃ1−Ｃ4）−アルコキシ−（Ｃ1−Ｃ4）−アルコキシ、（Ｃ1−Ｃ4）−アルキルチオ−（Ｃ1−Ｃ4）−アルコキシ、（Ｃ1−Ｃ4）−アルキルカルボニル、(Ｃ1−Ｃ4）−アルキルアミノスルホニル、（Ｃ1−Ｃ4）−ジアルキルアミノスルホニル、（Ｃ1−Ｃ4）−アルキルカルバモイル、（Ｃ1−Ｃ4）−ジアルキルカルバモイル、（Ｃ1−Ｃ4）−アルコキシ−（Ｃ1−Ｃ4）−アルキル、フェノキシ、シアノ、アリール、アルキルアミノまたはジアルキルアミノであり；
ｑは０、１、２、３または４である］の化合物１種以上の除草活性量；
Ｂ．下記物質：
ａ) 下記式（II）〜（IV）：
【化３】
2002530301.tif 000003
［式中、符号および指標の意味は、
ｎ′は０〜５の自然数であり；
Ｔは未置換であるかまたは（Ｃ1−Ｃ4）−アルキル基１つまたは２つで、または、［（Ｃ1−Ｃ3）−アルコキシ］カルボニルで置換された（Ｃ1またはＣ2）−アルカンジイル鎖であり；
Ｗは、環がＮ原子少なくとも１個およびＯ原子１個以下を有するＮまたはＯ型のヘテロ環原子１〜３個を有する部分的不飽和または芳香族の５員の複素環よりなる群から選択される未置換であるか置換された２価の複素環基、好ましくは下記（Ｗ１）〜（Ｗ４）：
【化４】
2002530301.tif 000004
よりなる群から選択される基であり；
ｍ′は０または１であり；
Ｒ17、Ｒ19は同じかまたは異なっていてハロゲン、（Ｃ1−Ｃ4）−アルキル、（Ｃ1−Ｃ4）−アルコキシ、ニトロまたは（Ｃ1−Ｃ4）−ハロアルキルであり;
Ｒ18、Ｒ20は同じかまたは異なっていてＯＲ24、ＳＲ24またはＮＲ24Ｒ25であるか、または、Ｎ原子を介して（II）または（III）のカルボニル基に連結し、そして未置換であるか、または、（Ｃ1−Ｃ4）−アルキル、（Ｃ1−Ｃ4）−アルコキシまたは場合により置換されたフェニルよりなる群から選択される基で置換された、Ｎ原子少なくとも１個およびヘテロ原子３個以下を有する飽和または不飽和の３〜７員の複素環であり；
Ｒ24は水素または未置換または置換された脂肪族炭化水素基であり；
Ｒ25は水素、（Ｃ1−Ｃ6）−アルキル、（Ｃ1−Ｃ6）−アルコキシまたは置換されたまたは未置換のフェニルであり；
Ｒ26は水素、（Ｃ1−Ｃ8）−アルキル、（Ｃ1−Ｃ8）−ハロアルキル、（Ｃ1−Ｃ4）−アルコキシ−（Ｃ1−Ｃ4）−アルキル、（Ｃ1−Ｃ6）−ヒドロキシアルキル、（Ｃ3−Ｃ12）−シクロアルキルまたはトリ−（Ｃ1−Ｃ4）−アルキル−シリルであり；
Ｒ27、Ｒ28、Ｒ29は同じかまたは異なっていて、水素、（Ｃ1−Ｃ8）−アルキル、（Ｃ1−Ｃ8）−ハロアルキル、（Ｃ3−Ｃ12）−シクロアルキルまたは置換されたまたは未置換のフェニルであり；
Ｒ21は（Ｃ1−Ｃ4）−アルキル、（Ｃ1−Ｃ4）−ハロアルキル、（Ｃ2−Ｃ4）−アルケニル、（Ｃ2−Ｃ4）−ハロアルケニル、（Ｃ3−Ｃ7）−シクロアルキルであり；
Ｒ22、Ｒ23は同じかまたは異なっていて、水素、（Ｃ1−Ｃ4）−アルキル、（Ｃ2−Ｃ4）−アルケニル、（Ｃ2−Ｃ4）−アルキニル、（Ｃ1−Ｃ4）−ハロアルキル、（Ｃ2−Ｃ4）−ハロアルケニル、（Ｃ1−Ｃ4）−アルキルカルバモイル−（Ｃ1−Ｃ4）−アルキル、（Ｃ2−Ｃ4）−アルケニルカルバモイル−(Ｃ1−Ｃ4)−アルキル、（Ｃ1−Ｃ4）−アルコキシ−（Ｃ1−Ｃ4）−アルキル、ジオキソラニル−（Ｃ1−Ｃ4）−アルキル、チアゾリル
、フリル、フリルアルキル、チエニル、ピペリジル、置換または未置換のフェニルであるか、または、Ｒ22とＲ23は一緒になって置換または未置換の複素環、好ましくはオキサゾリジン、チアゾリジン、ピペリジン、モルホリン、ヘキサヒドロピリミジン、またはベンゾキサジン環を形成する］の化合物；
ｂ) 下記物質：
１,８−ナフタール酸無水物、
メチルジフェニルメトキシアセテート、
シアノメトキシイミノ（フェニル）アセトニトリル（サイオメトリニル）、
１,３−ジオキソラン−２−イルメトキシイミノ（フェニル）アセトニトリル（オキサベトリニル）、
４′−クロロ−２,２,２−トリフルオロアセトフェノンＯ−１,３−ジオキソラン−２−イルメチルオキシム（フルキソフェニム）、
４,６−ジクロロ−２−フェニルピリミジン（フェンクロリム）、
ベンジル２−クロロ−４−トリフルオロメチル−１,３−チアゾール−５−カルボキシレート（フルラゾール）、
２−ジクロロメチル−２−メチル−１,３−ジオキソラン（ＭＧ−１９１）、
Ｎ−（４−メチルフェニル）−Ｎ′−（１−メチル−１−フェニルエチル）尿素（ダイムロン）、
１−［４−（Ｎ−２−メトキシベンゾイルスルファモイル）フェニル］−３−メチル尿素、
１−［４−（Ｎ−２−メトキシベンゾイルスルファモイル）フェニル］−３,３−ジメチル尿素、
１−［４−（Ｎ−４,５−ジメチルベンゾイルスルファモイル）フェニル］−３−メチル尿素、
１−［４−（Ｎ−ナフトイルスルファモイル）フェニル］−３,３−ジメチル尿素、
（２,４−ジクロロフェノキシ）酢酸（２,４−Ｄ）、
（４−クロロフェノキシ）酢酸、
（Ｒ,Ｓ）−２−（４−クロロ−ｏ−トリルオキシ）プロピオン酸（メコプロプ）、
４−（２,４−ジクロロフェノキシ）酪酸（２,４−ＤＢ）、
（４−クロロ−ｏ−トリルオキシ）酢酸（ＭＣＰＡ）、
４−（４−クロロ−ｏ−トリルオキシ）酪酸、
４−（４−クロロフェノキシ）酪酸、
３,６−ジクロロ−２−メトキシ安息香酸（ジカンバ）、
１−（エトキシカルボニル）エチル３,６−ジクロロ−２−メトキシベンゾエート（ラクチジクロル）、
およびこれらの塩およびエステル；
よりなる群から選択される化合物１種以上；
ｃ) 下記式（Ｖ）：
【化５】
2002530301.tif 000005
［式中、
Ｒ30は水素、炭化水素基、炭化水素オキシ基、炭化水素チオ基または複素環基であり、後者４基の各々は未置換であるか、または、ハロゲン、シアノ、ニトロ、アミノ、ヒドロキシル、カルボキシル、ホルミル、カルボキサミド、スルホンアミドおよび式Ｚa−Ｒaの
基よりなる群から選択される同じかまたは異なる基１つ以上で置換されていることができ、各炭化水素部分は好ましくは炭素原子１〜２０個を有し、そして炭素含有基Ｒ30は置換基も含めて好ましくは炭素原子１〜３０個を有し；
Ｒ31は水素または（Ｃ1−Ｃ4）−アルキルであるか、または、
Ｒ30とＲ31は式−ＣＯ−Ｎ−の基と一緒になって３〜８員の飽和または不飽和の環の残基となり；
Ｒ32は同じかまたは異なっていて、ハロゲン、シアノ、ニトロ、アミノ、ヒドロキシル、カルボキシル、ホルミル、ＣＯＮＨ2、ＳＯ2ＮＨ2または式Ｚb−Ｒbの基であり；
Ｒ33は水素または（Ｃ1−Ｃ4）−アルキルであり；
Ｒ34は同じかまたは異なっていて、ハロゲン、シアノ、ニトロ、アミノ、ヒドロキシル、カルボキシル、ＣＨＯ、ＣＯＮＨ2、ＳＯ2ＮＨ2または式Ｚc−Ｒcの基であり；
Ｒaは炭化水素基または複素環基であり、後者２基の各々は、未置換であるか、またはハロゲン、シアノ、ニトロ、アミノ、ヒドロキシル、モノおよびジ−［（Ｃ1−Ｃ4）−アルキル］アミノまたは非隣接ＣＨ2基の複数個、好ましくは２または３個が各々酸素原子１個で置きかえられているアルキル基よりなる群から選択される同じかまたは異なる基１つ以上で置換されており；
Ｒb、Ｒcは同じかまたは異なっていて、炭化水素基または複素環基であり、後者２基は各々、未置換であるか、または、ハロゲン、シアノ、ニトロ、アミノ、ヒドロキシル、ホスホリル、ハロ−（Ｃ1−Ｃ4）−アルコキシ、モノおよびジ−［（Ｃ1−Ｃ4）−アルキル］アミノ、または、非隣接ＣＨ2基の複数個、好ましくは２または３個が各々酸素原子１個で置きかえられているアルキル基よりなる群から選択される同じかまたは異なる基１つ以上で置換されており；
Ｚaは式Ｏ、Ｓ、ＣＯ、ＣＳ、ＣＯ−Ｏ、ＣＯ−Ｓ、Ｏ−ＣＯ、Ｓ−ＣＯ、ＳＯ、ＳＯ2、ＮＲ*、ＣＯ−ＮＲ*、ＮＲ*−ＣＯ、ＳＯ2−ＮＲ*またはＮＲ*−ＳＯ2の２価の基であり、２価の基の各々の右側にある結合は基Ｒaへの結合であり、そして後者５基の基Ｒ*は相互に独立して各々Ｈ、（Ｃ1−Ｃ4）−アルキルまたはハロ−（Ｃ1−Ｃ4）−アルキルであり；
Ｚb、Ｚcは相互に独立して直接結合または式Ｏ、Ｓ、ＣＯ、ＣＳ、ＣＯ−Ｏ、ＣＯ−Ｓ、Ｏ−ＣＯ、Ｓ−ＣＯ、ＳＯ、ＳＯ2、ＮＲ*、ＳＯ2−ＮＲ*、ＮＲ*−ＳＯ2、ＣＯ−ＮＲ*またはＮＲ*−ＣＯの２価の基であり、非対称の２価の基の場合は、右側にある原子は基ＲbまたはＲcに連結しており、そして後者５基の基Ｒ*は相互に独立して各々Ｈ、（Ｃ1−Ｃ4）−アルキルまたはハロ−（Ｃ1−Ｃ4）−アルキルであり；
ｎは０〜４の整数であり；そして、
ｔは０〜５の整数である］のＮ−アシルスルホンアミドおよびその塩；
ｄ) 下記式（VI）：
【化６】
2002530301.tif 000006
［式中、
Ｘ3はＣＨまたはＮであり；
Ｒ35は水素、複素環または炭化水素基であり、後者２基は場合によりハロゲン、シアノ、ニトロ、アミノ、ヒドロキシル、カルボキシル、ＣＨＯ、ＣＯＮＨ2、ＳＯ2ＮＨ2およびＺd−Ｒdよりなる群から選択される同じかまたは異なる基１個以上で置換されており；
Ｒ36は水素、ヒドロキシル、（Ｃ1−Ｃ6）−アルキル、（Ｃ2−Ｃ6）−アルケニル、（Ｃ2−Ｃ6）−アルキニル、（Ｃ1−Ｃ6）−アルコキシ、（Ｃ2−Ｃ6）−アルケニルオキシであり、後者５基は場合によりハロゲン、ヒドロキシル、(Ｃ1−Ｃ4）−アルキル、（Ｃ1
−Ｃ4）−アルコキシおよび（Ｃ1−Ｃ4）−アルキルチオよりなる群から選択される同じかまたは異なる基１個以上で置換されており；
Ｒ35とＲ36はそれらが連結している窒素原子と一緒になって３〜８員の飽和または不飽和の環となり；
Ｒ37は同じかまたは異なっていて、ハロゲン、シアノ、ニトロ、アミノ、ヒドロキシル、カルボキシル、ＣＨＯ、ＣＯＮＨ2、ＳＯ2ＮＨ2またはＺe−Ｒeであり；
Ｒ38は水素、（Ｃ1−Ｃ4）−アルキル、（Ｃ2−Ｃ4）−アルケニルまたは(Ｃ2−Ｃ4）−アルキニルであり；
Ｒ39は同じかまたは異なっていて、ハロゲン、シアノ、ニトロ、アミノ、ヒドロキシル、カルボキシル、ホスホリル、ＣＨＯ、ＣＯＮＨ2、ＳＯ2ＮＨ2またはＺf−Ｒfであり；
Ｒdは炭素鎖が酸素原子で１回以上中断されている（Ｃ2−Ｃ20）−アルキル基であるか、または、複素環または炭化水素の基であり、後者２基は場合によりハロゲン、シアノ、ニトロ、アミノ、ヒドロキシル、モノ−およびジ［(Ｃ1−Ｃ4)−アルキル］アミノよりなる群から選択される同じかまたは異なる基１個以上で置換されており；
Ｒe、Ｒfは同じかまたは異なっていて、炭素鎖が酸素原子で１回以上中断されている（Ｃ2−Ｃ20）−アルキル基であるか、または、複素環または炭化水素の基であり、後者２基は場合によりハロゲン、シアノ、ニトロ、アミノ、ヒドロキシル、ホスホリル、（Ｃ1−Ｃ4）−ハロアルコキシ、モノ−およびジ［（Ｃ1−Ｃ4）−アルキル］アミノよりなる群から選択される同じかまたは異なる基１個以上で置換されており；
ＺdはＯ、Ｓ、ＣＯ、ＣＳ、Ｃ(Ｏ)Ｏ、Ｃ(Ｏ)Ｓ、ＳＯ、ＳＯ2、ＮＲ*、Ｃ(Ｏ)ＮＲ*またＳＯ2ＮＲ*よりなる群から選択される２価の単位であり；
Ｚe、Ｚfは同じかまたは異なっていて、直接結合であるか、または、
Ｏ、Ｓ、ＣＯ、ＣＳ、Ｃ(Ｏ)Ｏ、Ｃ(Ｏ)Ｓ、ＳＯ、ＳＯ2、ＮＲ*、ＳＯ2ＮＲ*またはＣ(Ｏ)ＮＲ*よりなる群から選択される２価の単位であり；
Ｒ*は水素、（Ｃ1−Ｃ4）−アルキルまたは（Ｃ1−Ｃ4）−ハロアルキルであり；
ｓは０〜４の整数であり；そして、
ｏはＸがＣＨである場合は０〜５の整数であり、ＸがＮである場合は０〜４の整数である］のアシルスルファモイルベンズアミド、および、場合によりその塩の形態；
の化合物よりなる群から選択される毒性緩和剤１種以上の解毒有効量；
の混合物〔ただし、下記混合物：
ａ) 式（Ｉ）の化合物において、Ｖ＝Ｖ１またはＶ４であり、そして毒性緩和剤が式（IV）を有するか、または、下記物質：
１,８−ナフタール酸無水物、
メチルジフェニルメトキシアセテート、
２−ジクロロメチル−２−メチル−１,３−ジオキソラン、
シアノメトキシイミノ（フェニル）アセトニトリル、
１,３−ジオキソラン−２−イルメトキシイミノ（フェニル）アセトニトリル、
４′−クロロ−２,２,２−トリフルオロアセトフェノンＯ−１,３−ジオキソラン−２−イルメチルオキシム、
４,６−ジクロロ−２−フェニルピリミジン、
ベンジル−２−クロロ−４−トリフルオロメチル−１,３−チアゾール−５−カルボキシレート、および、
１−メチルヘキシル（５−クロロ−８−キノリンオキシ）アセテート、
よりなる群から選択されるもの；または、
ｂ) 式（Ｉ）の化合物において、Ｖ＝Ｖ３であり、ここでＲ6＝ＯＨであり、そして毒性緩和剤が以下の特徴：
− Ｗ＝Ｗ１、Ｗ２、Ｗ３またはＷ４でありｍ′＝１である式（II）を有すか、または、
− 式（III）を有し、Ｔが未置換であるか（Ｃ1−Ｃ4）−アルキル基１個または２個で置換されている（Ｃ1−またはＣ2）−アルカンジイル鎖であるか、または、
− 式（IV）を有するか、または
− 1,８−ナフタール酸無水物、シアノメトキシイミノ（フェニル）アセトニトリル、オキサベトリニル、フルキソフェニムおよびフルラゾールよりなる群から選択される化合物、
を有するものを除く〕および立体異性体および農薬上慣用的な塩を包含する除草活性組成物。
【請求項２】  式（Ｉ）の化合物において、
Ｖは下記式（Ｖ１）〜（Ｖ４）：
【化９】
2002530301.tif 000007
よりなる群から選択される基であり；
ここで符号および指標の意味は、
Ｒは水素、（Ｃ1−Ｃ4）−アルコキシカルボニルであり；
Ｒ1は（Ｃ3−Ｃ7）−シクロアルキル、（Ｃ1−Ｃ4）−アルキル−（Ｃ3−Ｃ7)−シクロアルキルであり；
Ｒ2は水素であり；
Ｒ3は水素、（Ｃ1−Ｃ4）−アルキル、（Ｃ1−Ｃ4）−アルキル置換アリールスルホニル、（Ｃ1−Ｃ4）−アルキル−アリールカルボニルメチル、ベンジルであり；
Ｒ4は（Ｃ1−Ｃ4）−アルキルであり；
Ｒ5は（Ｃ1−Ｃ4）−アルキル、（Ｃ1−Ｃ4）−アルコキシであるか、または、２個の基Ｒ5がＣ2−アルケニルとなり；
Ｒ6はヒドロキシル、（Ｃ1−Ｃ4）−アルコキシ、フェニルチオであり；
Ｒ7は（Ｃ3-Ｃ7）−シクロアルキルであり；
Ｒ8はシアノであり；
Ｉは０〜３の整数であり、ここでＩ≧２である場合は、基Ｒ5は同じかまたは異なっていてもよく、そして、
Ｒ9は同じかまたは異なっていて、（Ｃ1−Ｃ4）−アルキル、ハロゲン、ニトロ、（Ｃ1−Ｃ4）−ハロアルキル、（Ｃ1−Ｃ4）−ハロアルコキシ、(Ｃ1−Ｃ4)−アルキルスルホニル、（Ｃ1−Ｃ4）−アルキルスルホニルオキシ、(Ｃ1−Ｃ4)−アルキルスルホニルアミノ、（Ｃ1−Ｃ4）−アルコキシカルボニルであり；
Ｑは０、１、２または３である、
請求項１記載の除草活性組成物。
【請求項３】  式（II）および／または（III）の毒性緩和剤を含有する請求項１または２記載の除草活性組成物であって、その符号および指標の意味として、
Ｒ18、Ｒ20がＯＲ24であり；
Ｒ24は水素、（Ｃ1−Ｃ18）−アルキル、（Ｃ3−Ｃ12）−シクロアルキル、（Ｃ2−Ｃ8）−アルケニルおよび（Ｃ2−Ｃ18）−アルキニルであり、ここで炭素含有基は１個以上の基Ｒ50で置換されることができ；
Ｒ50は同じかまたは異なっていて、ハロゲン、ヒドロキシル、（Ｃ1−Ｃ8）−アルコキシ、（Ｃ1−Ｃ8）−アルキルチオ、（Ｃ2−Ｃ8）−アルケニルチオ、（Ｃ2−Ｃ8）−アルキニルチオ、（Ｃ2−Ｃ8）−アルケニルオキシ、（Ｃ2−Ｃ8）−アルキニルオキシ、（Ｃ3−Ｃ7）−シクロアルキル、（Ｃ3−Ｃ7）−シクロアルコキシ、シアノ、モノ−およびジ−（Ｃ1−Ｃ4）−アルキル）アミノ、カルボキシル、（Ｃ1−Ｃ8）−アルコキシカルボニル、（Ｃ2−Ｃ8）−アルケニルオキシカルボニル、（Ｃ1−Ｃ8）−アルキルチオカルボニ
ル、（Ｃ2−Ｃ8）−アルキニルオキシカルボニル、（Ｃ1−Ｃ8）−アルキルカルボニル、（Ｃ2−Ｃ8）−アルケニルカルボニル、（Ｃ2−Ｃ8）−アルキニルカルボニル、１−（ヒドロキシイミノ）−（Ｃ1−Ｃ6）−アルキル、１−［（Ｃ1−Ｃ4）−アルキルイミノ］−（Ｃ1−Ｃ4）−アルキル、１−［（Ｃ1−Ｃ4）−アルコキシイミノ］−（Ｃ1−Ｃ6）−アルキル、（Ｃ1−Ｃ8）−アルキルカルボニルアミノ、（Ｃ2−Ｃ8）−アルケニルカルボニルアミノ、（Ｃ2−Ｃ8）−アルキニルカルボニルアミノ、アミノカルボニル、（Ｃ1−Ｃ8）−アルキルアミノカルボニル、ジ−（Ｃ1−Ｃ6）−アルキルアミノカルボニル、（Ｃ2−Ｃ6）−アルケニルアミノカルボニル、（Ｃ2−Ｃ6）−アルキニルアミノカルボニル、（Ｃ1−Ｃ8）−アルコキシカルボニルアミノ、（Ｃ1−Ｃ8）−アルキルアミノカルボニルアミノ、（Ｃ1−Ｃ6）−アルキルカルボニルオキシ（未置換であるか、またはＲ51で置換されている）であるか、または、（Ｃ2−Ｃ6）−アルケニルカルボニルオキシ、（Ｃ2−Ｃ6）−アルキニルカルボニルオキシ、（Ｃ1−Ｃ8）−アルキルスルホニル、フェニル、フェニル−（Ｃ1−Ｃ6）−アルコキシ、フェニル−（Ｃ1−Ｃ6）−アルコキシカルボニル、フェノキシ、フェノキシ−（Ｃ1−Ｃ6）−アルコキシ、フェノキシ−（Ｃ1−Ｃ6）−アルコキシカルボニル、フェニルカルボニルオキシ、フェニルカルボニルアミノ、フェニル−（Ｃ1−Ｃ6）−アルキルカルボニルアミノ（後者９つの基はフェニル環において未置換であるか、または、基Ｒ52でモノまたはポリ置換されている）、ＳｉＲ′3、Ｏ−ＳｉＲ′3、Ｒ′3Ｓｉ−（Ｃ1−Ｃ8）−アルコキシ、ＣＯ−Ｏ−ＮＲ′2、ＯＮ＝ＣＲ′2、Ｎ＝ＣＲ′2、ＯＮＲ′2、ＮＲ′2、ＣＨ(ＯＲ′)2、Ｏ(ＣＨ2)w−ＣＨ(ＯＲ′)2、ＣＲ′′′(ＯＲ′)2、Ｏ(ＣＨ2)w−ＣＲ′′′(ＯＲ″)2またはＲ″Ｏ−ＣＨＲ′′′ＣＨＣＯＲ″−（Ｃ1−Ｃ6）−アルコキシであり；
Ｒ51は同じかまたは異なっていて、ハロゲン、ニトロ、（Ｃ1−Ｃ4）−アルコキシおよびフェニルただし未置換であるかまたは基Ｒ52 １個以上で置換されているものであり；
Ｒ52は同じかまたは異なっていて、ハロゲン、（Ｃ1−Ｃ4）−アルキル、(Ｃ1−Ｃ4）−アルコキシ、（Ｃ1−Ｃ4）−ハロアルキル、（Ｃ1−Ｃ4）−ハロアルコキシまたはニトロであり；
Ｒ′は同じかまたは異なっていて、水素、（Ｃ1−Ｃ4）−アルキル、フェニルただし未置換であるかまたは基Ｒ52 １個以上で置換されているものであるか、または、２個の基Ｒ′が一緒になって（Ｃ2−Ｃ6）−アルカンジイル鎖を形成し；
Ｒ″は同じかまたは異なっていて、（Ｃ1−Ｃ4）−アルキルであるか、２個の基Ｒ″が一緒になって（Ｃ2−Ｃ6）−アルカンジイル鎖を形成し；
Ｒ′′′は水素または（Ｃ1−Ｃ4）−アルキルであり；
ｗは０、１、２、３、４、５または６である、
上記組成物。
【請求項４】  式（Ｖ）の毒性緩和剤またはその塩を含有する請求項１または２記載の除草活性組成物、ただし、
Ｒ30が水素、（Ｃ1−Ｃ6）−アルキル、（Ｃ3−Ｃ6）−シクロアルキル、フラニルまたはチエニルであり、後者４基は未置換であるか、または、ハロゲン、（Ｃ1−Ｃ4）−アルコキシ、ハロ−（Ｃ1−Ｃ6）−アルコキシおよび（Ｃ1−Ｃ4）−アルキルチオ、そして環基の場合は更に（Ｃ1−Ｃ4）−アルキルおよび（Ｃ1−Ｃ4）−ハロアルキルよりなる群から選択される置換基１個以上で置換されており；
Ｒ31は水素であり；
Ｒ32はハロゲン、ハロ−（Ｃ1−Ｃ4）−アルキル、ハロ−（Ｃ1−Ｃ4）−アルコキシ、（Ｃ1−Ｃ4）−アルキル、（Ｃ1−Ｃ4）−アルコキシ、（Ｃ1−Ｃ4）−アルキルスルホニル、（Ｃ1−Ｃ4）−アルコキシカルボニルまたは（Ｃ1−Ｃ4）−アルキルカルボニル、好ましくはハロゲン、（Ｃ1−Ｃ4）−ハロアルキル例えばトリフルオロメチル、（Ｃ1−Ｃ4）−アルコキシ、ハロ−（Ｃ1−Ｃ4）−アルコキシ、（Ｃ1−Ｃ4）−アルコキシカルボニルまたは（Ｃ1−Ｃ4）−アルキルスルホニルであり；
Ｒ33は水素であり；
Ｒ34はハロゲン、（Ｃ1−Ｃ4）−アルキル、ハロ−（Ｃ1−Ｃ4）−アルキル、ハロ−（
Ｃ1−Ｃ4）−アルコキシ、（Ｃ3−Ｃ6）−シクロアルキル、フェニル、（Ｃ1−Ｃ4）−アルコキシ、シアノ、（Ｃ1−Ｃ4）−アルキルチオ、(Ｃ1−Ｃ4)−アルキルスルフィニル、(Ｃ1−Ｃ4）−アルキルスルホニル、(Ｃ1−Ｃ4)−アルコキシカルボニルまたは（Ｃ1−Ｃ4）−アルキルカルボニル、好ましくは水素、（Ｃ1−Ｃ4）−アルキル、（Ｃ1−Ｃ4）−ハロアルキル例えばトリフルオロメチル、ハロ−（Ｃ1−Ｃ4）−アルコキシ、(Ｃ1−Ｃ4）−アルコキシまたは（Ｃ1−Ｃ4）−アルキルチオであり；
ｎは０、１または２であり、
ｔは１または２である、
上記組成物。
【請求項５】  式（VI）の毒性緩和剤を含有する請求項１または２記載の除草活性組成物、ただし、
Ｘ3がＣＨであり；
Ｒ35が水素、（Ｃ1−Ｃ6）−アルキル、（Ｃ3−Ｃ6）−シクロアルキル、(Ｃ2−Ｃ6）−アルケニル、（Ｃ5−Ｃ6）−シクロアルケニル、フェニルまたは窒素、酸素およびイオウよりなる群から選択されるヘテロ原子３個以下を有する３〜６員の複素環であり、後者６基は場合によりハロゲン、（Ｃ1−Ｃ6）−アルコキシ、（Ｃ1−Ｃ6）−ハロアルコキシ、（Ｃ1−Ｃ2）−アルキルスルフィニル、（Ｃ1−Ｃ2）−アルキルスルホニル、（Ｃ3−Ｃ6）−シクロアルキル、(Ｃ1−Ｃ4)−アルコキシカルボニル、（Ｃ1−Ｃ4）−アルキルカルボニルおよびフェニル、そして環基の場合は更に（Ｃ1−Ｃ4）−アルキルおよび（Ｃ1−Ｃ4）−ハロアルキルよりなる群から選択される同じかまたは異なる置換基１個以上で置換されていることができ；
Ｒ36は水素、（Ｃ1−Ｃ6）−アルキル、（Ｃ2−Ｃ6）−アルケニル、（Ｃ2−Ｃ6）−アルキニルであり、後者３基は場合によりハロゲン、ヒドロキシル、（Ｃ1−Ｃ4）−アルキル、（Ｃ1−Ｃ4）−アルコキシおよび（Ｃ1−Ｃ4）−アルキルチオよりなる群から選択される同じかまたは異なる置換基１個以上で置換されていることができ；
Ｒ37は同じかまたは異なっていて、ハロゲン、（Ｃ1−Ｃ4）−ハロアルキル、（Ｃ1−Ｃ4）−ハロアルコキシ、ニトロ、（Ｃ1−Ｃ4）−アルキル、(Ｃ1−Ｃ4)−アルコキシ、（Ｃ1−Ｃ4）−アルキルスルホニル、（Ｃ1−Ｃ4）−アルコキシカルボニルまたは（Ｃ1−Ｃ4）−アルキルカルボニルであり；
Ｒ38は水素であり；
Ｒ39は同じかまたは異なっていて、ハロゲン、ニトロ、（Ｃ1−Ｃ4）−アルキル、（Ｃ1−Ｃ4）−ハロアルキル、（Ｃ1−Ｃ4）−ハロアルコキシ、(Ｃ3−Ｃ6)−シクロアルキル、フェニル、（Ｃ1−Ｃ4）−アルコキシ、シアノ、(Ｃ1−Ｃ4)−アルキルチオ、（Ｃ1−Ｃ4）−アルキルスルフィニル、（Ｃ1−Ｃ4）−アルキルスルホニル、（Ｃ1−Ｃ4）−アルコキシカルボニルまたは（Ｃ1−Ｃ4）−アルキルカルボニルであり；
ｓは０、１または２であり；
ｏは１または２である、
上記組成物。
【請求項６】  除草剤：毒性緩和剤の重量比が１：１００〜１００：１である請求項１〜５の１つ以上に記載の除草活性組成物。
【請求項７】  別の除草剤を更に含有する請求項１〜６のいずれかに記載の除草活性組成物。
【請求項８】  別の除草剤がスルホニル尿素である請求項７記載の除草活性組成物。
【請求項９】  有害植物、作物、植物種子または植物生育領域に請求項１〜８のいずれかに記載の除草活性組成物の除草活性量を適用することを包含する有用植物の作物における有害植物を制御する方法。
【請求項１０】  植物がトウモロコシ、コムギ、ライムギ、オオムギ、エンバク、イネ、モロコシ、ワタおよびダイズよりなる群に属する請求項９記載の方法。
【請求項１１】  植物が遺伝子的に改変された植物である請求項９または１０記載の方法。
【請求項１２】  有用植物の作物における有害植物を制御するための請求項１〜８のいずれかに記載の除草活性組成物の使用。